(57)【要約】      （修正有）【課題】切込み孔を大きく開き、その大きさを維持・調整する事で、所望の空気量を意図的に取込み、衣服構造内を換気・冷却し、好みの温度に調整し、快適温度にする衣服の構造体を提供する。【解決手段】本体部２と、切込みにより開孔されている通風部３から構成されており、前記切込みによって生じる２つの切込み端の少なくとも片側に保形材を使用している事を特徴とするものである。【選択図】図１
0003177904.tif 000002
【実用新案登録請求の範囲】
【請求項１】
本体部と、切込みにより開孔されている通風部から構成されており、
前記切込みによって生じる２つの切込み端の、少なくとも片側に保形材を使用している事を特徴とする衣服の構造体。
【請求項２】
前記保形材が、ショア硬度Ａ４０〜Ａ１００またはＤ１０〜７０である事を特徴とする請求項１に記載の衣服の構造体。
【請求項３】
前記切込みによって生じる切込み孔の長さが２０ｍｍ以上である事を特徴とする請求項１、２のいずれかに記載の衣服の構造体。
【請求項４】
前記切込み孔を人体に対して垂直方向への最大幅を１ｍｍ以上開く事を特徴とする、請求項１〜３のいずれかに記載の衣服の構造体。
【請求項５】
前記切込み孔は人体の身長方向に対して０度〜９０度の角度で設けられていることを特徴とする、請求項１〜４のいずれかに記載の衣服の構造体。
【請求項６】
前記切込み孔が、少なくとも２ヶ所以上設けられている事を特徴とする請求項１〜５のいずれかに記載の衣服の構造体。
【請求項７】
前記切込み孔によって生じる、前記２つの切込み端の両側に、前記保形材を使用しており、相反する方向に開孔していることを特徴とする、請求項１〜６のいずれかに記載の衣服の構造体。
【請求項８】
前記保形材の剛性が、前記切込み端における部材の剛性よりも硬い事を特徴とする請求項１〜７のいずれかに記載の衣服の構造体。
【考案の詳細な説明】
【技術分野】
【０００１】
本考案は、衣服の構造体に付加する通風手段に関するものである。
【背景技術】
【０００２】
スポーツ用品における衣服の構造体は、従来より運動によって体から生じる熱気が不快感を生じさせることとなるので、衣服内に滞留した熱気を排出し、更には外気を取り入れることで衣服内の空気を冷却し、快適性を保つ事が課題である。
そして、この衣服内の空気を換気する手段としては、従来より多くの検討が行われている。例えば、ワイシャツの衿の部分に通気孔を設け、外観における美観を損なわずに換気を行う構造についての開示がある（特許文献１）。又、上衣やレインコートの前身頃に縦方向又は斜め方向のスリットを設けることにより、衣服と肌の間に溜まる暖かい空気を衣服外に逃がすように構成され、わずかな風でも十分な冷却効果となる衣服についての開示がある（特許文献２）。さらには、庇又は鍔を有する帽子において、帽子本体の前面に通風孔を設け、それを覆うように天布と前布を設けて、降雨時に通風孔から雨が入ることなく通気が得られる帽子についての開示がある（特許文献３）。
【特許文献１】実開昭６１−０３０００３号公報
【特許文献２】実公昭６２−０３６８１３号公報
【特許文献３】実公昭６３−０１１１２９号公報
【０００３】
しかし、前記技術を用いた衣服では、構成される空隙より通気は得られるが、空気を取り入れる通風孔の大きさが十分で無く、冷却効果が思わしく無いという問題があった。又、通風孔を意図的に大きく開いても、その大きさを維持出来ないので、長時間に亘り空気を導入できないという問題もあった。更には通風孔の大きさを意図的に調整できないので、所望の空気量を得ることで、好みの快適性を得る事が出来ないという問題もあった。
【考案の概要】
【考案が解決しようとする課題】
【０００４】
本考案は、前記従来の問題を解決するため、衣服構造体の本体に通風部を設け、通風部の切込み孔を大きく開き、その大きさを維持・調整する事で、所望の空気量を意図的に取込み、衣服構造内を換気・冷却し、好みの温度に調整する事で、快適温度にするものである。
【課題を解決するための手段】
【０００５】
本考案の衣服の構造体は、本体部と、切込みにより開孔されている通風部から構成されており、前記切込みによって生じる２つの切込み端の少なくとも片側に保形材を使用している事を特徴とするものである。
【０００６】
好ましくは、前記保形材がショア硬度Ａ４０〜Ａ１００またはＤ１０〜７０であり、
又、前記切込みによって生じる切込み孔の長さが２０ｍｍ以上であり、前記切込み孔を人体に対して垂直方向への最大幅を１ｍｍ以上開く事を特徴とし、
更には、前記切込み孔は人体の身長方向に対して０度〜９０度の角度で設けられ、前記通風部には前記切込み孔が少なくとも２ヶ所以上設けられている事が好ましく、
加えて、前記切込み孔によって生じる、前記２つの切込み端の両側に、前記保形材を使用しており、相反する方向に開孔し、前記保形材の剛性が切込み部材の剛性よりも硬い事を特徴とした衣服の構造体である。
【考案の効果】
【０００７】
本考案の衣服構造体の通風手段は、上記の構成とすることにより、通風部の空気導入孔を大きく開き、その大きさを維持・調整する事で、所望の空気量を意図的に取り込み、衣服構造内を換気・冷却し、好みの温度に調整する事で、快適温度にすることが可能となる。
【図面の簡単な説明】
【０００８】
【図１】図１は本考案における衣服構造体（帽子）１の外観図である。
【図２】図２（ａ）は図１における衣服構造体１の通風部３の拡大図である。図２（ｂ）は図２（ａ）における通風部３の切込み孔３１のＩ−Ｉ断面図である。
【図３】図３は本考案での、通風部３における切込み孔の切込み端３１１、３１２の少なくとも片側に設けられる保形材４の外観図である。
【図４−１】図４−１は、本考案品となる本衣服構造体（帽子）１における通風性についての実験風景を示したものである。
【図４−２】図４−２は、実験１における、帽子１での通風部３の切込み孔３１の切込み端３１２を、人体に対して垂直方向の幅（開孔幅）に変化させる様子を表した図である。
【図４−３】図４−３は、実験１における、帽子１での開孔幅を変化させ、通風部の無い帽子と比較することで、切込み孔３１の大きさによる換気・冷却効果の検証結果を示すグラフである。
【図４−４】図４−４は、実験２における、帽子１、１−１での切込み孔３１の角度を変化させる様子を表した図である。
【図４−５】図４−５は、実験２における、帽子１、１−１について、通風部３の切込み孔３１を、人体の身長方向に対しての角度を変化させ、切込み孔３１の角度による換気・冷却効果の検証結果を示すグラフである。
【図５】図５（ａ）は、本考案における衣服構造体の別の実施形態である、ジャージの上衣１１での適用例を示したものである。図５（ｂ）は、本考案における衣服構造体の更に別の実施形態である、レインウェアの下衣１２での適用例を示したものである。
【考案を実施するための形態】
【０００９】
本考案者は、衣服構造体に付加する通風機能に着目し、本考案の通風手段を考案するに至った。
特に、本考案品となる衣服構造体は、本体部と、切込みにより開孔されている通風部から構成されており、前記切込みによって生じる２つの切込み端の少なくとも片側に保形材を使用して、通風部の切込みを大きく開き、その大きさを維持・調整する事で、所望の空気量を意図的に取込み、衣服構造内を換気・冷却し、好みの温度に調整し、快適温度にするものである。
【００１０】
本考案の衣服構造体は、本体部と、切込みにより開孔されている通風部から構成されており、主要部は通風部となるので本体部においてはどのような構成としても任意である。
又、本体部・通風部に用いる素材としては共通でも、異なってもどちらでも良く、主に衣服を構成する素材であれば問題は無い。
【００１１】
前記通風部の、前記切込みによって生じる、切込み端に設けられる保形材は、前記通風部の前記切込み端の少なくとも片側に設けられる。
このように保形材を設けることで、通風部の切込み孔を大きく開き、その大きさを維持し、孔の大きさを調整する事が可能となる。
特に、前記保形材は、人体が前向きに移動する際に風を導入するために、前後の前記切込み端の、後側に配置される切込み端に設けられることが好ましい。
逆に、人体の後側から風が来るような場合、前後の前記切込み端の、前側に配置される切込み端に設けられることが好ましい。
勿論、前記切込み端の両側に設けることも可能であり、前記通風部の切込み孔を大きく開き、孔の大きさを維持・調整する効果を促進させる事が可能である。
前記保形材の取り付け手段としては、本体部に使用する生地、もしくは任意の生地を前記保形材の取り付け手段として、通風部外側部の生地の裏側に設け、間に保形材を配置し、周囲を縫製することによって固定される。
保形材の材質としては、ウレタン樹脂、オレフィン樹脂、アルミニウムなどが挙げられ、前記通風部の切込み孔を大きく開き、孔の大きさを維持・調整できるように、人の手によって塑性変形可能なものが選択される。
又、保形材のサイズとしては、長さ２０ｍｍ〜１００ｍｍ、横幅３ｍｍ〜３０ｍｍ、厚さ０．３ｍｍ〜５ｍｍ程度のテープ形状であることが望ましい。
【００１２】
前記保形材は、ショア硬度Ａ４０〜Ａ１００またはＤ１０〜７０であることが好ましい。ショア硬度Ａ４０〜Ａ１００またはＤ１０〜７０であれば、通風部が使用中に風の影響や、多少の物や人体への接触により変形せず、切込み孔の大きさを維持できるからである。
【００１３】
前記保形材の硬度の測定方法としては、ＪＩＳ  Ｋ６２５３タイプＡまたはＤデュロメータ（Ａ型またはＤ型の硬さ試験機）を用いたＪＩＳ  Ｋ７２１５（デュロメータ硬さ試験方法）に準ずるものとする。
【００１４】
又、前記切込みによって生じる切込み孔の長さは２０ｍｍ以上であり、前記切込み孔の人体からの垂直方向の開孔最大幅を１ｍｍ以上とすることが好ましい。前記切込み孔の長さが２０ｍｍ以上、更には前記切込み孔の人体からの垂直方向の開孔最大幅を１ｍｍ以上とすれば、前記通風部に取り入れる空気を十分確保する事ができ、衣服構造内を効率的に換気・冷却する効果が得られる。
【００１５】
更には、前記切込み孔は人体の身長方向に対して０度〜９０度の角度で設けられ、この角度であれば太陽光が差し込みにくい角度となっており、垂直照射となる太陽光による通風部内の温度上昇を避けると共に、移動等による空気の水平方向の吹き込み量を大きくすることができる。
【００１６】
又、前記通風部における前記切込み孔が少なくとも２ヶ所以上設けられていることが好ましい。前記切込み孔が２ヶ所以上設けられていることにより、一つの切込み孔から通風部に入った空気が衣服構造体内を冷却し、別の切込み孔から抜けることにより、更に冷却・換気効果が高まることになる。
【００１７】
更に、前記通風部の前記切込みによって生じる、前記切込み端に設けられる前記保形材は、通風部の切込み端の両側に設けられていて、相反する方向に開孔されていることが好ましい。前記保形材が両側に設けられていることにより、より大きく開孔することができるとともに、相反する方向に開孔することにより、内側（身体側）に凹ませた構造体の切込み端と身体との間に空気の流れ易い空隙を生むことが可能になり、冷却・換気効果が高まる事になる。
【００１８】
更に、前記保形材の剛性が、前記通風部の切込み端部材の剛性よりも硬くなっていることが好ましい。前記保形材の剛性が、通風部の切込み端部材の剛性よりも硬いことにより、塑性変形可能な前記保形材の効果で、通風部の切込み端部材の硬さに負けることなく切込み孔を大きく開き、その大きさを維持し、更には切込み孔の大きさも調整可能となる。
【００１９】
以下図面を用いて説明する。
本考案の衣服構造体は、ここでは帽子のみを示すが、これに限定されるものではなく、広くスポーツウェア、レインウェア、その他一般の衣類等にも適用可能である。
【００２０】
図１は本考案における衣服構造体となる帽子１の外観図である。帽子１は、本体部２と、切込み孔３１、３２により開孔されている通風部３から構成されている。又、図示されていないが、同様の通風部が帽子１の左右対称となるように、対面にもう１つの通風部を設けて、更に冷却・換気効果を高め、美観にも優れる帽子としている。
【００２１】
図２（ａ）は図１における衣服構造体１の通風部３の拡大図である。
図２（ｂ）は図２（ａ）における通風部３の切込み孔３１の切込み端３１２のＩ−Ｉ断面図である。前記保形材４の取り付け手段としては、通風部３の切込み孔３１の切込み端３１２の通風部外側部の生地３３の裏側に、生地３４を設け、左右の側部縫製３５、３６を施し、下部縫製３７を行った後に、ポケット状となった生地３３と３４の間に保形材４を挿入し、上部縫製部３８を施すことによって固定される。
【００２２】
図３は、前記保形材４の外観図である。
【００２３】
図４−１から図４−５は、本考案品となる本衣服構造体（帽子）１における通風性についての実験概要を示したものである。
図４−１は、本実験風景を示したものである。以下に実験方法について説明する。
（実験方法）
帽子１において、目的とする態様を施した帽子１と、比較品となる帽子１−１の両方を同時に、並列する頭部マネキン５、６に装着し、５００ｍｍの高さから５００Ｗのレフランプ７で照射し、３００ｍｍ前方から扇風機８で風速２ｍ/ｓで１５分間送風した時の帽子１、１−１内の温度変化の測定を、頭部マネキン５、６の側頭部に施した温度センサー９、１０を用いて秒単位の時系列にて行った。
＜実験１＞
実験１として、帽子１における通風部３の切込み孔３１の人体に対して垂直方向の幅（開孔幅）を変化させ、通風部の無い帽子１−１と比較することで、切込み孔３１の大きさによる換気・冷却効果の検証を行った。ここで変化させているのは、切込み端３１２のみである。
図４−２は、帽子１の開孔幅を変化させる様子を表した図となり、開孔幅の開き具合が、（ア）０ｍｍ（閉じる）、（イ）１ｍｍ、（ウ）５ｍｍそれぞれの場合を示している。
図４−３は、上記実験１の結果を表したグラフであり、比較品に対して帽子１内の温度が実験時間の全体に亘り低く推移していることがわかる。ちなみに実験１における帽子１の開孔幅と比較品１−１との実験時間中の平均温度との関係は、以下の通りであった。
0003177904.tif 000003
【００２４】
したがって、帽子１の通風部３の切込み孔３１の開孔幅に関しては、０ｍｍつまり閉じていたとしても換気・冷却効果があり、１ｍｍ、５ｍｍと開孔幅が広がるほど、効果が高まることを示している。
【００２５】
＜実験２＞
実験２として、帽子１について、通風部３の切込み孔３１を、人体の身長方向に対しての角度に変化させ、切込み孔３１の角度による換気・冷却効果の検証を行った。
又、帽子１の比較となる切込み角度とした帽子を、帽子１−１としている。
図４−４は、帽子１、１−１の切込み孔３１の角度を変化させる様子を表した図となり、切込み孔３１の角度が、０度、２０度、−２０度、９０度それぞれの場合を示している。
比較を行ったのは帽子１、１−１がそれぞれ（ア）２０度、０度（イ）０度、−２０度（ウ）９０度、−２０度の場合であり、ここでの切込み孔３１の開孔幅としては切込み端３１２のみを５ｍｍ開いている。
図４−５は、上記実験２の結果を表したグラフであり、（ア）２０度、０度の比較結果は、０度の方が実験時間の全体に亘り低く推移しており、（イ）０度、−２０度の比較結果は、２０度の方が実験時間の全体に亘り低く推移しており、（ウ）９０度、−２０度の比較結果は、９０度の方が実験時間の全体に亘り低く推移している。
0003177904.tif 000004
ちなみに実験２（ア）（イ）（ウ）における帽子１、１−１の切込み孔３１の角度変化と実験時間中の平均気温と関係は、以下の通りであった。
【００２６】
したがって帽子１、１−１の切込み孔３１の角度が、それぞれ（ア）２０度、０度（イ）０度、−２０度（ウ）９０度、−２０度の場合であれば、それぞれ帽子１の方に効果がある、つまり０度〜９０度にて比較的換気・冷却効果を発揮することを示している。
【００２７】
ただし、切込み孔３１の開孔幅として、切込み端３１２を開く方向に変化させる、つまり開孔部３１が太陽光が差し込む方向に向かない事が条件である。これは、帽子１−１が帽子１に比べて太陽光が差し込む方向（上方）を向いていることからも明らかである。
【００２８】
図５（ａ）は、本考案における衣服構造体の別の実施形態である、ジャージの上衣１１での適用例を示したものである。
図５（ｂ）は、本考案における衣服構造体の更に別の実施形態である、レインウェア１２での適用例を示したものである。
【実施例】
【００２９】
以下、本考案の実施例について述べるが、本考案はこれらに限定されるものではない。
（実施例１）
【００３０】
（１）使用材料
本実施例の衣服構造体である帽子の本体部・通風部・通風部の切込み端裏側の生地・本体に施された通風部内のメッシュ生地の素材は全てポリエステルである。又、縫製に使用した糸は、ナイロンのスパン糸である。
【００３１】
（２）作成方法
本実施例の通風部の切込み端部材に、保形材を固着させる方法としては、厚さ０．４ｍｍのオレフィンシートを長さ６０ｍｍ、幅４ｍｍで裁断し、通風部の切込み孔の切込み端の通風部外側部生地の裏側に、裏地を設け、左右の側部縫製を施し、下部縫製を行った後に、ポケット状となった通風部外側部生地と裏地の間に保形材を挿入し、上部縫製部を施すことによって固定される。
【００３２】
（比較例１）
比較例１としては、実施例１の通風部を設けない本体のみの、いわゆる通常の帽子である。  
【００３３】
（比較例２）
比較例２としては、実施例１の通風部の切込み孔の切込み端に保形材を設けない以外は、実施例１と同様の帽子とした。
（着用試験結果）
実施例１及び比較例１、２の帽子を被験者に着用してもらい、快適性、外観、切込み孔の保形・形状コントロール性について、比較例１と実施例１、２を５段階で絶対評価し（比較例１については快適性と外観のみ）、その結果を被験者全員の平均値として、下記表１に示した。被験者は、それぞれ１０名とした。
【００３４】
（快適性について）
５    快適
４    概ね快適
３    同等
２    少し不快
１    不快
【００３５】
（外観について）
５    良好
４    概ね良好
３    同等
２    やや悪い
１    悪い
【００３６】
（切込み口の保形性・形状コントロール性について）
５    良い
４    概ね良い
３    同等
２    やや悪い
１    悪い
【００３７】
【表１】
0003177904.tif 000005
【００３８】
表１の結果から、本体部に通風部を設けた実施例１の帽子の方が、本体部のみとなる比較例１よりも、快適性・外観の平均値において良好な帽子であった。又、実施例１の通風部の切込み孔に保形材を設けない実施例２よりも、快適性・外観・切込み口の保形性・形状コントロール性全ての平均値において良好な帽子であった。
【産業上の利用可能性】
【００３９】
本考案の衣服構造体の通風手段は、登山、トレッキング、ハイキング、スキー、スノーボード、スケート、野球、ゴルフ、ホッケー、サッカー、ジョギング、マラソン、テニス、バドミントン、スカッシュ、卓球などあらゆるスポーツに好適であるほか、一般の衣服構造体にも有用である。
【００４０】
又、本考案が適用可能な衣服構造体の種類としては、帽子以外にも、ティーシャツ、ポロシャツ、ウインドブレーカー、パンツ、ズボン、レインウェア、手袋等が挙げられる。
【符号の説明】
【００４１】
１  本考案における衣服構造体（帽子）の外観図
１−１  通風性実験における衣服構造体（帽子）の比較品
２  本体部
３  通風部
３１・３２  切込み孔
３１１  前側切込み端
３１２  後側切込み端
３３  通風部２の外側生地
３４  通風部２の裏側生地
３５・３６  側部縫製
３７  下部縫製
３８  上部縫製
４    保形材
５・６  頭部マネキン
７  レフランプ
８  扇風機
９・１０  温度センサー
１１  本考案における衣服構造体（ジャージの上衣）の外観図
１２  本考案における衣服構造体（レインウェア下衣）の外観図
【図１】
0003177904.tif 000006
【図２】
0003177904.tif 000007
【図３】
0003177904.tif 000008
【図４−１】
0003177904.tif 000009
【図４−２】
0003177904.tif 000010
【図４−３】
0003177904.tif 000011
【図４−４】
0003177904.tif 000012
【図４−５】
0003177904.tif 000013
【図５】
0003177904.tif 000014